(57)【特許請求の範囲】
【請求項１】
電子装置のハウジングに設けられた貫通孔に対応して装着され、且つ前記貫通孔の内部に挿入されたプラグを挟持固定するためのプラグ離脱防止機構であって、
前記プラグ離脱防止機構は、弾性部品及びシール部を含み、前記弾性部品には、少なくとも２つの鈎爪が設けられ、前記プラグの外面には、前記少なくとも２つの鈎爪にそれぞれ対応しているスロットが設けられ、前記弾性部品及び前記シール部は、前記ハウジングにおける前記貫通孔の両端に固定されており、前記プラグは、前記貫通孔を貫通しており、前記シール部は、前記プラグと前記ハウジングとの間で挟持されており、前記弾性部品の前記鈎爪が前記プラグの前記スロット内に係合されていることによって、前記弾性部品は前記プラグに固定されていることを特徴とするプラグ離脱防止機構。
【請求項２】
前記弾性部品は、環状の弾性片であり且つ前記弾性部品には１つの中央孔が設けられており、前記少なくとも２つの鈎爪は、前記中央孔の中心に向かって傾斜するよう前記中央孔の周縁部から突出し、各鈎爪の末端は、前記中央孔に向けて湾曲していることを特徴とする請求項１に記載のプラグ離脱防止機構。
【請求項３】
ハウジング及び前記ハウジングに装着される請求項１または２に記載のプラグ離脱防止機構を備える電子装置であって、
前記ハウジングには、外部からのプラグと組み合わせて使用される貫通孔が設けられることを特徴とする電子装置。
【請求項４】
前記貫通孔の内壁の一端には、少なくとも２つの鈎爪用収容凹所が形成されていることを特徴とする請求項３に記載の電子装置。
【請求項５】
前記貫通孔の内壁の他端には、当止ブロックが設けられ、前記シール部は、ゴムからなる環状体であり且つ前記当止ブロックに固定されていることを特徴とする請求項４に記載の電子装置。
【発明の詳細な説明】
【技術分野】
【０００１】
本発明は、プラグ離脱防止機構及び当該プラグ離脱防止機構を備える電子装置に関するものである。
【背景技術】
【０００２】
携帯電話機等の電子装置には、一般的にイヤホン又は電源用のジャックが設けられており、このジャックは、イヤホン又は電源のプラグと組み合わせて使用される。しかし、ユーザが、イヤホンを使用している最中に、誤ってイヤホンコードを引っ張ってしまい、イヤホンプラグが電子装置のジャックからはずれてしまうことがある。この時、ユーザは、再度イヤホンプラグを電子装置のジャック内に挿入しなければならず、非常に不便である。また、電子装置を使用する時に、異物等がジャックから電子装置の内部に入ることもあり、電子装置の性能に影響を与える恐れがある。
【発明の概要】
【発明が解決しようとする課題】
【０００３】
以上の問題点に鑑みて、本発明は、電子装置のジャックを密閉し、且つプラグをジャック内に安定して固定させることができるプラグ離脱防止機構及びこれを用いる電子装置を提供することを目的とする。
【課題を解決するための手段】
【０００４】
上記の課題を解決するために、本発明に係るプラグ離脱防止機構は、電子装置のハウジングに設けられた貫通孔に対応して装着され、且つ貫通孔の内部に挿入されたプラグを挟持固定する。プラグ離脱防止機構は、弾性部品及びシール部を含み、弾性部品には、少なくとも２つの鈎爪が設けられ、弾性部品及びシール部は、ハウジングにおける貫通孔の両端に固定され、プラグは貫通孔を貫通し、シール部は、プラグとハウジングとの間で挟持され、少なくとも２つの鈎爪は、プラグを挟持固定する。
【０００５】
また、上記の課題を解決するために、本発明に係る電子装置は、ハウジング及びハウジングに装着されるプラグ離脱防止機構を備える。ハウジングには、外部からのプラグと組み合わせて使用される貫通孔が設けられ、プラグ離脱防止機構は、弾性部品及びシール部を含み、弾性部品には、少なくとも２つの鈎爪が設けられ、弾性部品及びシール部は、ハウジングにおける貫通孔の両端に固定され、プラグは貫通孔を貫通し、シール部は、プラグとハウジングとの間で挟持され、少なくとも２つの鈎爪は、プラグを挟持固定する。
【発明の効果】
【０００６】
従来の技術と異なり、本発明の電子装置のハウジングには弾性部品が装着されており、弾性部品にはロック部品が設けられている。これにより、外部からのプラグがハウジングのジャック内に挿入されると、ロック部品はプラグを挟持するため、プラグが緩くなる又は離脱することを防止することができる。
【図面の簡単な説明】
【０００７】
【図１】本発明に係るプラグ離脱防止機構を備える電子装置の、プラグ離脱防止機構内にイヤホンが挿入されている状態を示す斜視図である。
【図２】図１に示したプラグ離脱防止機構を備える電子装置の分解斜視図である。
【図３】図２に示したプラグ離脱防止機構を備える電子装置を異なる角度から見た図である。
【図４】図１に示したプラグ離脱防止機構の組立斜視図であり、一部の周壁が切断されている。
【図５】図１に示したプラグ離脱防止機構を備える電子装置の、イヤホンプラグとプラグ離脱防止機構とが互いに係合している状態を上から見た断面図である。
【図６】図５に示したプラグ離脱防止機構とイヤホンプラグとがロック状態から解除された状態を上から見た断面図である。
【発明を実施するための形態】
【０００８】
図１〜図３に示すように、本発明の実施形態に係る電子装置は、ハウジング１０及びハウジング１０に装着されるプラグ離脱防止機構２０を含む。ハウジング１０内には、イヤホン向けの電気コネクタ１６が装着される。イヤホン５０は、プラグ５１を備え、電気コネクタ１６に対応して挿入される。プラグ離脱防止機構２０は、電気コネクタ１６に対向して設けられる。イヤホン５０を電気コネクタ１６に電気的に接続する時、プラグ離脱防止機構２０はイヤホン５０のプラグ５１を挟持して固定する。プラグ５１を回転させることによって、イヤホン５０をプラグ離脱防止機構２０による固定から解除することができる。
【０００９】
ハウジング１０は、底壁１１及び周壁１２を含む。周壁１２は、外面１２１、内面１２２及び貫通孔１２３を含む。イヤホン５０とプラグ離脱防止機構２０とのロック状態及びロック解除状態を容易に識別するために、外面１２１における貫通孔１２３の周りには、互いに反対の方向に向いた２つのマーク１２５が設けられている。貫通孔１２３の内壁には、当止ブロック１２４が設けられている。内面１２２には、貫通孔１２３に対応する場所に円環状の突起１３が設けられている。貫通孔１２３は、階段孔であり、外面１２１及び突起１３を貫通するように設けられている。突起１３の端面は、取付面１３３とされ、該取付面１３３には、固定ピン１３４が設けられている。貫通孔１２３の内壁と取付面１３３との連接部位には、少なくとも２つの収容凹所１３５が形成されている。本実施形態において、収容凹所１３５は４つである。ハウジング１０の内部には、回路基板１５がさらに装着される。電気コネクタ１６は、この回路基板１５の一端に装着され、且つジャック１６１を備える。ジャック１６１は、貫通孔１２３に対応して設置される。
【００１０】
プラグ離脱防止機構２０は、さらに、弾性部品２１及びシール部２２を含む。シール部２２は、ゴムからなる環状体であり、当止ブロック１２４に固定される。また、変形例として、シール部２２は、ガスケット又シーラントであってもよい。弾性部品２１は、突起１３に固定され、且つプラグ５１と互いに係止する。本実施形態において、弾性部品２１は、環状の弾性片であり、中央孔２１１及び少なくとも２つの鈎爪２１２を含む。２つの鈎爪２１２は、中央孔２１１の周縁部から突出し、その末端は中央孔２１１に向けて湾曲している。本実施形態において、鈎爪２１２は４つであり、且つそれぞれ中央孔２１１の中心に向かって傾斜している。４つの鈎爪２１２は、中央孔２１１の周りに間隔をあけて設けられている。プラグ５１の外面には、４つの鈎爪２１２に対応する４つのスロット５２がそれぞれ設けられている。弾性部品２１の鈎爪２１２がプラグ５１のスロット５２内に係合されることによって、弾性部品２１はプラグ５１に固定される。さらに、弾性部品２１には、２つの固定ピン１３４の位置にそれぞれ対応する２つの位置決め孔２１３が設けられており、この２つの位置決め孔２１３は、弾性部品２１をそれぞれ貫通している。
【００１１】
図４及び図５に示すように、組み立てる場合、弾性部品２１を突起１３の取付面１３３に装着し、固定ピン１３４を位置決め孔２１３に貫通させるよう装着する。この時、弾性部品２１と取付面１３３とは、接着剤又は両面テープを介して一体に固定される。次に、弾性部品２１の４つの鈎爪２１２を、貫通孔１２３内で各収容凹所１３５に対応して係合させる。次に、回路基板１５を、ネジを介して底壁１１に固定する。この時、電気コネクタ１６のジャック１６１の位置は、貫通孔１２３の位置に対応する。
【００１２】
次に、イヤホン５０のプラグ５１を貫通孔１２３及び弾性部品２１の中央孔２１１に貫通させて、電気コネクタ１６のジャック１６１内に挿入する。これにより、弾性部品２１の鈎爪２１２は、プラグ５１により外側へ押し退けられて変形して互いに対して離れるように広がった後、各収容凹所１３５内に収容される。続いて、プラグ５１を回転させながらジャック１６１内に向けてさらに推進して、スロット５２と収容凹所１３５との位置が対応すると、鈎爪２１２は弾性復帰してプラグ５１のスロット５２内に係合される。この時、ユーザは、鈎爪２１２とスロット５２との係合を感じ、プラグ５１がジャック１６１内に強固に且つ安定して固定されたことがわかるため、イヤホン５０がハウジング１０から離脱することを心配する必要はない。この時、シール部２２は、プラグ５１と当止ブロック１２４との間に挟持されて、異物等が貫通孔１２３を介してハウジング１０の内部に入ることを防止する。
【００１３】
プラグ５１のロックを解除させる場合、マーク１２５が示すアンロックの方向へプラグ５１を回転させて、鈎爪２１２をスロット５２から退出させれば、プラグ５１のロックを解除させることができる。
【００１４】
上記の実施形態から分かるように、本発明の電子装置のハウジング１０には、プラグ離脱防止機構２０が設けられている。プラグ離脱防止機構２０の弾性部品２１は、弾性を有する鈎爪２１２を備え、この鈎爪２１２は、イヤホン５０のプラグ５１がジャック１６１内に挿入された時に、プラグ５１を挟持して固定して、イヤホン５０を使用する過程においてプラグ５１がジャック１６１から離脱することを防止する。また、貫通孔１２３内には、シール部２２が設けられており、シール部２２は、プラグ５１が貫通孔１２３に挿入されると、貫通孔１２３を密封する。これにより、使用する過程において外部からの異物等が貫通孔１２３を介してハウジング１０の内部に入ることを防止する。
【００１５】
また、変形例として、プラグ５１に設けられたスロット５２を省略して、弾性部品２１の鈎爪２１２の弾性力及び強度を増加させるか又は鈎爪２１２の中央孔２１１に向けての傾斜角度を増大させれば良い。この場合、プラグ５１が中央孔２１１を貫通した時、プラグ５１は鈎爪２１２の弾性力及び鈎爪２１２とプラグ５１との摩擦力によって挟持固定される。
【符号の説明】
【００１６】
１０  ハウジング
１１  底壁
１２  周壁
１２１  外面
１２２  内面
１２３  貫通孔
１２４  当止ブロック
１２５  マーク
１３  突起
１３３  取付面
１３４  固定ピン
１３５  収容凹所
１５  回路基板
１６  電気コネクタ
１６１  ジャック
２０  プラグ離脱防止機構
２１  弾性部品
２１１  中央孔
２１２  鈎爪
２１３  位置決め孔
２２  シール部
５０  イヤホン
５１  プラグ
５２  スロット
【図１】
0005947348.tif 000002
【図２】
0005947348.tif 000003
【図３】
0005947348.tif 000004
【図４】
0005947348.tif 000005
【図５】
0005947348.tif 000006
【図６】
0005947348.tif 000007